(57)【要約】  【課題】  コンクリート補強用の鉄筋が配設された後に、保護管が接続された出水ボックスや導水ボックスを鉄筋に固定する作業を行うだけでコンクリート躯体内に保護管及び出水ボックスや導水ボックスを埋設することができ施工性に著しく優れるとともに、コンクリート打設時にもずれたりせず安定して埋設させることができ配管施工品質の安定性に優れ、さらにメンテナンス性にも優れるコンクリート埋設用配管配置具を提供することを目的とする。  【解決手段】  本発明は、前面に開口部を有する出水ボックス本体と、前記出水ボックス本体の底面部又は側壁部に形成され保護管の一端部が接続される保護管接続孔部と、前記出水ボックス本体の前記底面部及び／又は前記側壁部の外側に突設された突部、及び／又は、前記突部若しくは前記出水ボックス本体の前記底面部又は前記側壁部のいずれか１以上に形成された挿通孔部と、を有する出水ボックスを備える。  【選択図】  図１
2005133481.tif 000002
【特許請求の範囲】
【請求項１】
前面に開口部を有する出水ボックス本体と、前記出水ボックス本体の底面部又は側壁部に形成され内側に通水管が挿通される保護管の一端部が接続される保護管接続孔部と、前記出水ボックス本体の前記底面部及び／又は前記側壁部の外側に突設された突部、及び／又は、前記突部若しくは前記出水ボックス本体の前記底面部又は前記側壁部のいずれか１以上に形成された挿通孔部と、を有する出水ボックスを備えていることを特徴とするコンクリート埋設用配管配置具。
【請求項２】
前記出水ボックス本体の前記底面部又は前記側壁部の内側に形設され前記通水管と出水管とを接続する管継手が固定される管継手固定部を備えていることを特徴とする請求項１に記載のコンクリート埋設用配管配置具。
【請求項３】
前面に開口部を有する導水ボックス本体と、前記導水ボックス本体の底面部又は側壁部に形成され前記保護管の他端部が接続される保護管接続孔部と、前記導水ボックス本体の前記底面部及び／又は前記側壁部の外側に突設された突部、及び／又は、前記突部若しくは前記導水ボックス本体の前記底面部又は前記側壁部のいずれか１以上に形成された挿通孔部と、を有する導水ボックスを備えていることを特徴とする請求項１又は２に記載のコンクリート埋設用配管配置具。
【請求項４】
前記導水ボックス本体の前記底面部又は前記側壁部の内側に形設された管固定部を備えていることを特徴とする請求項３に記載のコンクリート埋設用配管配置具。
【請求項５】
前記出水ボックス本体及び／又は前記導水ボックス本体の前記開口部に着脱自在に配設される蓋本体と、前記蓋本体の所定部に形成され前記通水管又は前記出水管が挿通される蓋開口部と、を有する蓋部材を備えていることを特徴とする請求項１乃至４の内いずれか１に記載のコンクリート埋設用配管配置具。
【請求項６】
前記蓋部材の前記蓋本体の外表面が、粗面化されていることを特徴とする請求項５に記載のコンクリート埋設用配管配置具。
【請求項７】
配筋されたコンクリート補強用の鉄筋に、請求項１又は２に記載の出水ボックス及び請求項１又は２に記載の導水ボックスの係止突部又は挿通孔部を介して前記出水ボックス及び前記導水ボックスを配設固定するボックス設置工程と、
前記出水ボックス及び前記導水ボックスの保護管接続孔部に保護管の両端部を接続するとともに前記出水ボックス及び前記導水ボックスの開口部に閉鎖部材を配設して前記開口部を閉鎖する保護管接続工程と、
前記鉄筋と所定間隔をあけて配設された型枠内に打設されたコンクリートの養生硬化後に前記出水ボックス及び前記導水ボックスの前記開口部に配設された前記閉鎖部材を除去する開口部形成工程と、
前記開口部形成工程で開口された前記開口部から前記導水ボックス本体内、前記保護管内、前記出水ボックス本体内に通水管を配設した後、前記開口部を請求項５又は６に記載の蓋部材で閉塞する通水管配設工程と、
を備えていることを特徴とするコンクリート埋設配管の施工方法。
【発明の詳細な説明】
【技術分野】
【０００１】
本発明は、住宅やマンション等のコンクリート製の壁や床、天井等の内部に給水管等の通水管が挿通される保護管を埋設し外部に給水栓等の出水管を配置させるコンクリート埋設用配管配置具及びそれを用いたコンクリート埋設配管の施工方法に関するものである。
【背景技術】
【０００２】
従来より、住宅やマンション等において鉄筋コンクリート製の壁や床等の内部に給水管等の配管を埋設する工法としては、躯体のコンクリート内に予め合成樹脂製等の保護管を埋設し、この保護管内に合成樹脂製等で形成された給水管を挿通して配管を埋設する、いわゆるさや管工法が用いられている。
近年、鉄筋コンクリート製の外壁に給水栓，ペット用流し台，洗濯機や給湯器用の屋外水栓を設けた住宅やマンション等の建設が増加しており、コンクリート内に埋設された保護管に挿通された通水管とコンクリート製の外壁に設けられる水栓とを接続するための技術が必要になっている。
このような技術として、例えば（特許文献１）に「コンクリート壁内に埋設された保護管に挿通された給水管とコンクリート壁外面に設けられる水栓とを接続する水栓ボックス」が開示されている。
【特許文献１】特開２００２−２９４７７４号公報
【発明の開示】
【発明が解決しようとする課題】
【０００３】
しかしながら上記従来の技術においては、以下のような課題を有していた。
（１）（特許文献１）に開示の技術は、公報第３頁左欄第４６行乃至右欄第７行に記載されているように、コンクリート内に埋設されたさや管（保護管）は水栓ボックスのさや管接続部で接続され、水栓ボックスはコンクリート壁内に形成された空洞内に収納されコンクリート面に螺子等で固定されている。そのため、さや管を埋設したり水栓ボックスを収納したりする空洞をコンクリート躯体の外側面に形成しなくてはならず、コンクリートを打設する際に用いる型枠の内側面にさや管埋設用や水栓ボックス収納用の空洞を形成する型を別個に配設しなければならないため施工性に欠けるという課題を有していた。
（２）また、コンクリートを打設してコンクリート壁を形成した後、さや管埋設用や水栓ボックス収納用の空洞を形成することも行われているが、一旦硬化させたコンクリート躯体の一部を空洞形成のためにドリル等の工具を用いて除去しなければならず、作業工数を要するとともに作業者に多大な負担を強いることになり、また一旦硬化した躯体の一部を破壊するため施工性に著しく欠けるという課題を有していた。
（３）これらの空洞内にさや管や水栓ボックスを収納し固定した後、さや管や水栓ボックスの表面にコンクリート躯体の表面と面一になるように補修用モルタル等を充填する必要があるが、さや管や水栓ボックスを収納するための空洞が大きいため、多量のモルタルが必要になるとともにモルタル充填用の多くの工数を要し施工性に欠けるという課題を有していた。
（４）コンクリート打設前にコンクリート補強用の鉄筋等にさや管を配置しておき、コンクリートを打設することでコンクリート躯体内にさや管を埋設することもできるが、配管作業者は、打設されたコンクリートが硬化し型枠が除去された後に、さや管と水栓ボックスとを接続するとともに水栓ボックスを躯体内に固定する作業を行わなければならない。これらの作業は、コンクリート躯体が硬化しているため作業空間が限られ煩雑で作業性に欠けるという課題を有していた。
（５）給水管が挿通された保護管が接続された水栓ボックスの周囲が躯体内でコンクリートで完全に覆われてしまうため、給水管をメンテナンスのために交換したりする場合には、水栓ボックスの周囲のコンクリートを除去して水栓ボックスを躯体内から取り出さなければならずメンテナンス性に欠けるという課題を有していた。
【０００４】
本発明は上記従来の課題を解決するもので、コンクリート補強用の鉄筋が配設された後に、鉄筋に保護管が接続された出水ボックスや導水ボックスを固定する作業を行うだけで、コンクリート躯体内に出水ボックスや導水ボックスの収納用の空洞を形成したりする作業を要さずに、コンクリート躯体内に保護管及び出水ボックスや導水ボックスを埋設することができ施工性に著しく優れるとともに、コンクリート打設時にもずれたりせず安定して埋設させることができ配管施工品質の安定性に優れ、さらにメンテナンス性にも優れるコンクリート埋設用配管配置具を提供することを目的とする。
また、本発明は、給水管等の通水管をコンクリート躯体内に埋設する作業を容易に行うことができ作業性に著しく優れるコンクリート埋設配管の施工方法を提供することを目的とする。
【課題を解決するための手段】
【０００５】
上記従来の課題を解決するために本発明のコンクリート埋設用配管配置具及びそれを用いたコンクリート埋設配管の施工方法は、以下の構成を有している。
本発明の請求項１に記載のコンクリート埋設用配管配置具は、前面に開口部を有する出水ボックス本体と、前記出水ボックス本体の底面部又は側壁部に形成され内側に通水管が挿通される保護管の一端部が接続される保護管接続孔部と、前記出水ボックス本体の前記底面部及び／又は前記側壁部の外側に突設された突部、及び／又は、前記突部若しくは前記出水ボックス本体の前記底面部又は前記側壁部のいずれか１以上に形成された挿通孔部と、を有する出水ボックスを備えた構成を有している。
この構成により、以下のような作用が得られる。
（１）保護管の一端部が接続される保護管接続孔部と突部及び／又は挿通孔部とを有しているので、保護管を接続できるとともに突部や挿通孔部を用いてコンクリート補強用の鉄筋に固定することができるため、配管作業者は、コンクリート補強用の鉄筋が配設された後に、鉄筋に保護管が接続された出水ボックスを固定する作業を行うだけで、コンクリート躯体内に収納用の空洞を形成したりする作業を要さずに、コンクリート躯体内に保護管及び出水ボックスを埋設することができ施工性に著しく優れる。
（２）コンクリート補強用の鉄筋に固定できる突部や挿通孔部を有しているので、出水ボックスをコンクリート補強用の鉄筋に容易に固定することができ作業性に優れるとともに、コンクリート打設時にずれたりせず安定して埋設させることができる。
【０００６】
ここで、出水ボックス本体としては、底面部と側壁部とを有し前面に開口部が形成された略矩形状，略方形状，略半球状等の形状に形成されたものが用いられる。
出水ボックス本体の材質としては、ポリエチレン製，ポリプロピレン製，塩化ビニル樹脂製，アクリルスチレンブタジエン共重合樹脂製，ポリカーボネート製，ポリアミド製等の熱可塑性樹脂製、繊維強化熱可塑性樹脂製、繊維強化ポリエステル等の複合熱硬化性樹脂製等の合成樹脂製、鉄製，ステンレス製，アルミニウム製，真鍮製等の金属製等で形成されたものが用いられる。
【０００７】
通水管としては、可撓性を有するポリエチレン製，ポリブテン製等の合成樹脂製等で形成された給水管，給湯管等が用いられる。管壁内にアルミニウム製等の金属製シート類が配設された通水管や補強材等が埋設された通水管等を用いることもできる。
【０００８】
保護管接続孔部としては、出水ボックス本体の底面部又は側壁部に内径が保護管の外径よりも大きめに形成されたものが用いられ、保護管接続孔部に保護管を挿通させてコネクタ等の接続部材等を用いて接続することができる。また、保護管接続孔部の周囲に雄接続部等の保護管接続部を出水ボックスス本体と一体に形成して若しくは固着して、これを用いて保護管を接続することもできる。
【０００９】
突部としては、出水ボックス本体の底面部や側壁部の１乃至複数箇所に突条、突起状等に形成されたものが用いられる。鉄筋や、鉄筋に固定される棒状や板状等の支持部材を装設し易くするため、フック状，鉤状等に形成することもできる。また、複数形成された突条や突起状等の突部の間隔を鉄筋や支持部材の太さと略同一に形成して突部の間に鉄筋や支持部材を嵌合したり係止できるようにしてもよい。
【００１０】
挿通孔部としては、出水ボックス本体の底面部や側壁部、突部の１乃至複数箇所に形成されたものが用いられる。挿通孔部には、コンクリート補強用の鉄筋に固定される棒状や板状等の支持部材、支持部材や鉄筋等に繋着する針金や番線等の線条体等の繋着部材が挿通される。
【００１１】
本発明の請求項２に記載の発明は、請求項１に記載のコンクリート埋設用配管配置具であって、前記出水ボックス本体の前記底面部又は前記側壁部の内側に形設され前記通水管と出水管とを接続する管継手が固定される管継手固定部を備えた構成を有している。
この構成により、請求項１で得られる作用に加え、以下のような作用が得られる。
（１）出水ボックス本体の内側に通水管と出水管とを接続する管継手が固定される管継手固定部を有しているので、管継手固定部に固定される管継手を用いて通水管と出水管とを安定して接続することができる。
（２）出水ボックス本体の内側の空間内に形設された管継手固定部に管継手が固定されるので、出水管と通水管とを接続したりメンテナンスのために出水管や通水管を交換する作業を行うための空間を出水ボックス本体内で確保することができ作業性やメンテナンス性に優れる。
【００１２】
ここで、管継手としては、エルボ管継手，ストレート管継手等を用いることができる。これらは、通水管と出水管との接続方向に応じて選択して用いることができる。
【００１３】
出水管としては、給水栓，アングル形やストレート形等の止水栓等の水栓、給湯栓等を用いることができる。
【００１４】
本発明の請求項３に記載の発明は、請求項１又は２に記載のコンクリート埋設用配管配置具であって、前面に開口部を有する導水ボックス本体と、前記導水ボックス本体の底面部又は側壁部に形成され前記保護管の他端部が接続される保護管接続孔部と、前記導水ボックス本体の前記底面部及び／又は前記側壁部の外側に突設された突部、及び／又は、前記突部若しくは前記導水ボックス本体の前記底面部又は前記側壁部のいずれか１以上に形成された挿通孔部と、を有する導水ボックスを備えた構成を有している。
この構成により、請求項１又は２で得られる作用に加え、以下のような作用が得られる。
（１）導水ボックス本体と保護管の他端部が接続される保護管接続孔部と突部や挿通孔部とを有する導水ボックスを備えているので、コンクリート内に埋設される導水ボックスに通水管を導き保護管を経由して出水ボックスから取り出すことができ、容易にコンクリート内に通水管を埋設させることができる。
【００１５】
ここで、導水ボックス本体の形状や材質、保護管接続孔部、突部、挿通孔部としては、請求項１で説明した出水ボックスと同様のものが用いられるので、説明を省略する。
【００１６】
本発明の請求項４に記載の発明は、請求項３に記載のコンクリート埋設用配管配置具であって、前記導水ボックス本体の前記底面部又は前記側壁部の内側に形設された管固定部を備えた構成を有している。
この構成により、請求項３で得られる作用に加え、以下のような作用が得られる。
（１）導水ボックス本体の内側に形設された管固定部を有しているので、外部から導水ボックス内に導かれた保護管や通水管を動かないように安定に固定することができる。
【００１７】
本発明の請求項５に記載の発明は、請求項１乃至４の内いずれか１に記載のコンクリート埋設用配管配置具であって、前記出水ボックス本体及び／又は前記導水ボックス本体の前記開口部に着脱自在に配設される蓋本体と、前記蓋本体の所定部に形成され前記通水管又は前記出水管が挿通される蓋開口部と、を有する蓋部材を備えた構成を有している。
この構成により、請求項１乃至４の内いずれか１で得られる作用に加え、以下のような作用が得られる。
（１）出水ボックス本体や導水ボックス本体の開口部に着脱自在に配設される蓋本体を有する蓋部材を備えているので、蓋部材を開口部に装着して開口部を閉塞することによりモルタルやコンクリート等が出水ボックス本体等の内側に入らないようにできるため、メンテナンスのために出水管や通水管を交換する作業を行うための空間を出水ボックス本体等の内側に確保することができ作業性やメンテナンス性に優れる。
（２）通水管や出水管が挿通される蓋開口部を備えているので、蓋部材を用いて開口部を閉塞しても通水管や水栓等の出水管をコンクリート躯体の外部に突出させることができる。
【００１８】
ここで、蓋部材の蓋本体に形成された蓋開口部としては、内径が、挿通される出水管等の外径よりわずかに大きめの略円形状に形成されたものが好適に用いられる。モルタルやコンクリート等が蓋開口部と出水管等との隙間から出水ボックス本体等に入り込まないようにするためである。なお、蓋開口部には、通水管が挿通された保護管を挿通させることもできる。
なお、導水ボックス本体の開口部を閉塞する蓋部材の蓋開口部としては、短径が挿通される出水管等の外径よりわずかに大きめで、長径がそれよりも長い長孔状に形成されたものが好適に用いられる。蓋開口部から導水ボックスに導かれ保護管接続孔部に至る通水管の曲率を小さくして通水管が折り曲げられるのを防止するためである。
【００１９】
本発明の請求項６に記載の発明は、請求項５に記載のコンクリート埋設用配管配置具であって、前記蓋部材の前記蓋本体の外表面が、粗面化された構成を有している。
この構成により、請求項５で得られる作用に加え、以下のような作用が得られる。
（１）蓋部材の蓋本体の外表面が粗面化されているので、硬化したモルタル等が蓋本体の外表面に強固に固着するため、コンクリート躯体の表面からの埋設深さが小さくても、通常のモルタル等を用いて補修ができ、また硬化したモルタル等の落下やひび割れ等の発生を防止できる。コンクリート躯体に衝撃等の外力が与えられると蓋本体の表面のモルタル等に曲げ応力がかかるが、硬化したモルタル等が蓋本体と密着せずに隙間が生じていると、コンクリート躯体の表面からの埋設深さが小さい場合は、この曲げ応力によりモルタル等が割れて落下することがあるからである。
【００２０】
ここで、蓋本体の外表面は、（１）柱状の突起物を複数箇所に突設させる、（２）凹凸状を縦横の網目状に形成する、（３）ポリウレタン系やエポキシ樹脂系等の接着剤を塗布した上に珪砂等の砂状を散布して接着硬化させる、（４）ポリウレタン系やエポキシ樹脂系の接着剤とポルトランドセメント等のセメントとの混合物を凹凸状に塗布して硬化させる等の手段を用いて粗面化させることができる。
柱状の突起物を複数箇所に突設させることにより、補修に用いるモルタル等のスランプが高くモルタル等に気泡が残留しても硬化したモルタル等を割れ難くすることができる。凹凸状を縦横の網目状に形成することにより、アンカー効果によりモルタル等と蓋本体との固着力を高めることができる。接着剤を塗布した上に珪砂等の砂状を散布して接着することにより、略均一の凹凸を形成できるのでモルタル等の固着力を略均一にすることができる。接着剤とセメントとの混合物を凹凸状に塗布することにより、凹凸状のアンカー効果とセメントの固着効果により高い固着力を得ることができる。なかでも、接着剤とセメントとの混合物を凹凸状に塗布して粗面化したものが好適に用いられる。高い固着力を得ることができるとともに現場施工も可能だからである。
【００２１】
本発明の請求項７に記載のコンクリート埋設配管の施工方法は、配筋されたコンクリート補強用の鉄筋に、請求項１又は２に記載の出水ボックス及び請求項３又は４に記載の導水ボックスの突部又は挿通孔部を介して前記出水ボックス及び前記導水ボックスを配設固定するボックス設置工程と、前記出水ボックス及び前記導水ボックスの保護管接続孔部に保護管の両端部を接続するとともに前記出水ボックス及び前記導水ボックスの開口部に閉鎖部材を配設して前記開口部を閉鎖する保護管接続工程と、前記鉄筋と所定間隔をあけて配設された型枠内に打設されたコンクリートの養生硬化後に前記出水ボックス及び前記導水ボックスの前記開口部に配設された前記閉鎖部材を除去する開口部形成工程と、前記開口部形成工程で開口された前記開口部から前記導水ボックス本体内、前記保護管内、前記出水ボックス本体内に通水管を配設した後、前記開口部を請求項５又は６に記載の蓋部材で閉塞する通水管配設工程と、を備えた構成を有している。
この構成により、以下のような作用が得られる。
（１）コンクリート打設前に、コンクリート補強用の鉄筋に出水ボックス及び導水ボックスを配設固定し保護管との接続も行うことができ、コンクリートの養生硬化後には、出水ボックス及び導水ボックスの開口部に配設された閉鎖部材を除去することで開口部を広く開放して通水管を配設する作業を容易に行うことができ作業性に著しく優れる。
【００２２】
ここで、ボックス設置工程においては、出水ボックス及び導水ボックスの開口部とコンクリート打設時に配設される型枠の内側面との距離が、５〜３０ｍｍ好ましくは５〜２０ｍｍになるように、出水ボックス及び導水ボックスがコンクリート補強用の鉄筋に配設固定されると好ましい。出水ボックス及び導水ボックスの開口部に蓋部材を装着したときに蓋部材の外表面がコンクリート躯体の表面よりも低くなり補修用のモルタル等で蓋部材を埋設できるようにするとともに、閉鎖部材の前面でコンクリートが硬化したときでも、開口部形成工程において閉鎖部材の前面で硬化したコンクリートをハンマー等で外力を与えることにより容易に除去することができるからである。なお、出水ボックス及び導水ボックスの開口部とコンクリート打設時に配設される型枠の内側面との距離が５ｍｍより小さくなると、開口部に蓋部材を装着したときに蓋部材の外表面がコンクリート躯体の表面から露出し易くなるため好ましくない。出水ボックス及び導水ボックスの開口部とコンクリート打設時に配設される型枠の内側面との距離が２０ｍｍより大きくなるにつれ、閉鎖部材の前面でコンクリートが硬化したときに、開口部形成工程において硬化したコンクリートが厚くなり機械的強度が高くなるため除去し難くなる傾向がみられ、特に３０ｍｍより大きくなるとこの傾向が著しいため好ましくない。
【００２３】
閉鎖部材としては、出水ボックスや導水ボックスの開口部に貼着される合成樹脂製フィルム等のフィルム部材やシート部材、合成樹脂製，ゴム製，金属製等で形成された薄板状の板状部材、出水ボックス本体や導水ボックス本体の内側に充填される発泡ポリウレタン樹脂等の合成樹脂製等の塊状部材等が用いられ、いずれも打設されたコンクリートが硬化するまでの間、出水ボックス本体や導水ボックス本体の内側にコンクリートが侵入するのを防止する。
【発明の効果】
【００２４】
以上のように、本発明のコンクリート埋設用配管配置具及びそれを用いたコンクリート埋設配管の施工方法によれば、以下のような有利な効果が得られる。
請求項１に記載の発明によれば、
（１）保護管の一端部が接続される保護管接続孔部と突部及び／又は挿通孔部とを有しているので、保護管を接続できるとともに突部や挿通孔部を用いてコンクリート補強用の鉄筋に固定することができるため、配管作業者は、コンクリート補強用の鉄筋が配設された後に、鉄筋に保護管が接続された出水ボックスを固定する作業を行うだけで、コンクリート躯体内に収納用の空洞を形成したりする作業を要さずにコンクリート躯体内に保護管及び出水ボックスを埋設することができ施工性に著しく優れたコンクリート埋設用配管配置具を提供することができる。
（２）コンクリート補強用の鉄筋に固定できる突部や挿通孔部を有しているので、出水ボックスをコンクリート補強用の鉄筋に容易に固定することができ作業性に優れるとともに、コンクリート打設時にずれたりせず安定して埋設させることができ配管施工品質の安定性に優れたコンクリート埋設用配管配置具を提供することができる。
【００２５】
請求項２に記載の発明によれば、請求項１の効果に加え、
（１）出水ボックス本体の内側に通水管と出水管とを接続する管継手が固定される管継手固定部を有しているので、管継手固定部に固定される管継手を用いて通水管と出水管とを安定して接続することができ使用性に優れたコンクリート埋設用配管配置具を提供することができる。
（２）出水ボックス本体の内側の空間内に形設された管継手固定部に管継手が固定されるので、出水管と通水管とを接続したりメンテナンスのために出水管や通水管を交換する作業を行うための空間を出水ボックス本体内で確保することができ作業性やメンテナンス性に優れたコンクリート埋設用配管配置具を提供することができる。
【００２６】
請求項３に記載の発明によれば、請求項１又は２の効果に加え、
（１）導水ボックス本体と保護管の他端部が接続される保護管接続孔部と突部及び／又は挿通孔部とを有する導水ボックスを備えているので、コンクリート内に埋設される導水ボックスに通水管を導き保護管を経由して出水ボックスから取り出すことができ、容易にコンクリート内に通水管を埋設させることができるコンクリート埋設用配管配置具を提供することができる。
【００２７】
請求項４に記載の発明によれば、請求項３の効果に加え、
（１）導水ボックス本体の内側に形設された管固定部を有しているので、外部から導水ボックス内に導かれた保護管や通水管を動かないように安定に固定することができ配管施工品質の安定性に優れたコンクリート埋設用配管配置具を提供することができる。
【００２８】
請求項５に記載の発明によれば、請求項１乃至４の内いずれか１の効果に加え、
（１）出水ボックス本体や導水ボックス本体の開口部に着脱自在に配設される蓋本体を有する蓋部材を備えているので、蓋部材を開口部に装着して開口部を閉塞することによりモルタルやコンクリート等が出水ボックス本体等の内側に入らないようにできるため、メンテナンスのために出水管や通水管を交換する作業を行うための空間を出水ボックス本体等の内側に確保することができ作業性やメンテナンス性に優れたコンクリート埋設用配管配置具を提供することができる。
（２）通水管や出水管が挿通される蓋開口部を備えているので、蓋部材を用いて開口部を閉塞しても通水管や水栓等の出水管をコンクリート躯体の外部に突出させることができ汎用性に優れたコンクリート埋設用配管配置具を提供することができる。
【００２９】
請求項６に記載の発明によれば、請求項５の効果に加え、
（１）蓋部材の蓋本体の外表面が粗面化されているので、硬化したモルタル等が蓋本体の外表面に強固に固着するため、コンクリート躯体の表面からの埋設深さが小さくても、通常のモルタル等を用いて補修ができ、また硬化したモルタル等の落下やひび割れ等の発生を防止できるコンクリート埋設用配管配置具を提供することができる。
【００３０】
請求項７に記載の発明によれば、
（１）コンクリート打設前に、コンクリート補強用の鉄筋に出水ボックス及び導水ボックスを配設固定し保護管との接続も行うことができ、コンクリートの養生硬化後には、出水ボックス及び導水ボックスの開口部に配設された閉鎖部材を除去することで開口部を広く開放して通水管を配設する作業を容易に行うことができ作業性に著しく優れたコンクリート埋設配管の施工方法を提供することができる。
【発明を実施するための最良の形態】
【００３１】
以下、本発明を実施するための最良の形態を、図面を参照しながら説明する。
（実施の形態１）
図１（ａ）は実施の形態１におけるコンクリート埋設用配管配置具の出水ボックスの斜視図であり、図１（ｂ）はその使用状態を表す要部断面図であり、図２（ａ）は実施の形態１におけるコンクリート埋設用配管配置具の導水ボックスの斜視図であり、図２（ｂ）はその使用状態を表す要部断面図であり、図３（ａ）は出水ボックスの保護管接続孔部における保護管の接続状態を示す要部断面図であり、図３（ｂ）は導水ボックスの保護管接続孔部における保護管の接続状態を示す要部断面図であり、図４はコンクリート補強用の鉄筋に導水ボックスを配設固定した状態を示す要部斜視図である。
図１（ａ）において、１は実施の形態１におけるコンクリート埋設用配管配置具の出水ボックス、２は合成樹脂製や金属製等で箱状等に形成された出水ボックス１の出水ボックス本体、３は出水ボックス本体２の略矩形状の板状で形成された底面部、４ａ，４ｂ，４ｃ，４ｄは底面部３の周囲に立設された出水ボックス本体２の側壁部、５は出水ボックス本体２の前面に形成された開口部、６は出水ボックス本体２の側壁部４ｃに形成された略円形状の保護管接続孔部、７ａ，７ｃは出水ボックス本体２の側壁部４ａ，４ｃの外側の各々の底面部３側から突設された突条の突部、７ｂ，７ｄは出水ボックス本体２の側壁部４ａ，４ｃの外側の各々の略央部に突部７ａ，７ｃと平行に突設された突条の突部、８は突部７ａ，７ｂ，７ｃ，７ｄの所定部に形成された挿通孔部、９は底面部３の内側に形設された管継手固定部である。
１０は出水ボックス本体２の開口部５に着脱自在に配設される蓋部材、１１は開口部５の大きさと同一かそれよりも大きめの板状に形成された蓋部材１０の蓋本体、１２は蓋本体１１の所定部に形成された略円形状の蓋開口部、１３は先端が鉤状に形成され蓋本体１１の裏面側の縁部近傍に立設された蓋側係止部である。
ここで、本実施の形態においては、蓋本体１１の外表面は、ポリウレタン系やエポキシ樹脂系の接着剤とポルトランドセメント等のセメントとの混合物を凹凸状に塗布して硬化さる等の手段により粗面化されている。
【００３２】
図１（ｂ）において、１３ａは出水ボックス本体２の側壁部４ａ，４ｃの開口部５側に形成され蓋側係止部１３を着脱自在に係止する本体側係止部、１４は後述する保護管１５の一端部を保護管接続孔部６に接続固定する接続部材、１５は合成樹脂等で形成された可撓性を有する保護管、１６はポリエチレン等の合成樹脂等で形成され保護管１５に挿通される給水管等の通水管、１７は一端部に通水管１６が接続され台座部が管継手固定部９に螺子等で固定されたエルボ管継手からなる管継手である。
【００３３】
図２（ａ）において、２１は実施の形態１におけるコンクリート埋設用配管配置具の導水ボックス、２２は合成樹脂製や金属製等で箱状等に形成された導水ボックス２１の導水ボックス本体、２３は導水ボックス本体２２の略矩形状の板状で形成された底面部、２４ａ，２４ｂ，２４ｃ，２４ｄは底面部２３の周囲に立設された導水ボックス本体２２の側壁部、２５は導水ボックス本体２２の前面に形成された開口部、２６は導水ボックス本体２２の側壁部２４ａに形成された略円形状の保護管接続孔部、２７ａ，２７ｃは導水ボックス本体２２の側壁部２４ａ，２４ｃの外側の各々の底面部２３側から突設された突条の突部、２７ｂ，２７ｄは導水ボックス本体２２の側壁部２４ｂ，２４ｄの外側の各々の略央部に突部２７ａ，２７ｃと平行に突設された突条の突部、２８は突部２７ａ，２７ｂ，２７ｃ，２７ｄの所定部に形成された挿通孔部、２９は底面部２３の内側に形設された管固定部である。
３０は導水ボックス本体２２の開口部２５に着脱自在に配設される蓋部材、３１は開口部２５の大きさと同一かそれよりも大きめの板状に形成された蓋部材３０の蓋本体、３２は蓋本体３１の所定部に形成された略長円の長孔状の蓋開口部、３２ａは蓋開口部３２の開口縁部から蓋本体３１の縁部に渡って形成された切れ目部、３３は先端が鉤状に形成され蓋本体３１の裏面側の縁部近傍に立設された蓋側係止部である。
ここで、本実施の形態においては、蓋本体３１の外表面は、ポリウレタン系やエポキシ樹脂系の接着剤とポルトランドセメント等のセメントとの混合物を凹凸状に塗布して硬化さる等の手段により粗面化されている。
【００３４】
図２（ｂ）において、３３ａは導水ボックス本体２２の側壁部２４ａ，２４ｃの開口部２５側に形成され蓋側係止部３３を着脱自在に係止する本体側係止部、３４は合成樹脂等で形成され通水管１６が挿通される可撓性を有する保護管、３５は略Ｕ字状に形成され保護管３４の端部側を外嵌し端部が螺子等で管固定部２９に固定された管固定部材、３６は保護管１５の他端部を保護管接続孔部２６に接続固定するコネクタ等の接続部材である。
【００３５】
図３（ａ）において、１４は出水ボックス本体２の側壁部４ｃに形成された保護管接続孔部６に固定された接続部材、１４ａは外径が保護管接続孔部６の内径より小さな筒状に合成樹脂等で形成され外周面に雄螺子部が螺設された接続部材本体、１４ｂは接続部材本体１４ａの一端部の内周面に立設され挿通される保護管１５の端部が当接される当接部、１４ｃは当接部１４ｂが形成された接続部材本体１４ａの他端部の内周面に当接部１４ｂに向かって傾斜して複数立設された鉤状部、１４ｄ，１４ｅは外径が保護管接続孔部６の内径より大きな環状に形成され内周面に接続部材本体１４ａの雄螺子部に螺合する雌螺子部が螺設された環状部材であり、環状部材１４ｄ，１４ｅは壁面部４ｃを挟装して壁面部４ｃの内側と外側に各々配設されている。
図３（ｂ）において、３６は導水ボックス本体２２の側壁部２４ａに形成された保護管接続孔部２６に固定された接続部材、３６ａは外径が保護管接続孔部２６の内径より小さな筒状に合成樹脂等で形成され外周面に雄螺子部が螺設された接続部材本体、３６ｂは接続部材本体３６ａの長手方向の略中央の内周面に立設され挿通される保護管１５，３４の端部が当接される当接部、３６ｃは接続部材本体１４ａの両端部の内周面に当接部３６ｂに向かって傾斜して複数立設された鉤状部、３６ｄ，３６ｅは外径が保護管接続孔部２６の内径より大きな環状に形成され内周面に接続部材本体３６ａの雄螺子部に螺合する雌螺子部が螺設された環状部材であり、環状部材３６ｄ，３６ｅは壁面部２４ａを挟装して壁面部２４ａの外側と内側に各々配設されている。
【００３６】
図４において、４０，４１，４２，４３は金属製や合成樹脂製等で棒状等に形成され導水ボックス２１の外側に突設された突部２７ａ，２７ｃ，２７ｂ，２７ｄの各々を挟装する支持部材、４４は突部２７ａ，２７ｂ，２７ｃ，２７ｄに形成された挿通孔部２８に挿通され支持部材４０，４１，４２，４３を繋着する針金や番線等の線条体等の繋着部材、４５は支持部材４２，４３の各々を結束する針金や番線等の線条体等の繋着部材、４６はコンクリート壁等の内部に配設されコンクリート躯体を補強する鉄筋、４７は鉄筋４６に支持部材４０，４１を繋着して導水ボックス本体２１を配置固定する針金や番線等の線条体等の繋着部材である。
なお、本実施の形態においては、出水ボックス本体１の突部７ａ，７ｃ，７ｂ，７ｄにも、同様にして支持部材４０，４１，４２，４３を装設する。
【００３７】
以上のように構成された本発明の実施の形態１におけるコンクリート埋設用配管配置具を用いたコンクリート埋設配管の施工方法について、以下図面を参照しながら説明する。
図５はコンクリート埋設用配管配置具を用いたコンクリート埋設配管の施工方法を示す要部断面図である。
図５（ａ）において、５０，５０はシート状部材等で形成され出水ボックス本体２，導水ボックス本体２２の各々の側壁部に貼着等されて開口部５，２５を閉鎖する閉鎖部材、５１，５１は鉄筋４６の両側に鉄筋４６と所定間隔をあけて配設されたコンクリート打設用の型枠、５２は型枠５１内に打設されたコンクリートである。（なお、支持部材４２，４３は図示していない。）
図５（ｂ）において、５２ａ，５２ｂは開口部２５，５の各々の前面で硬化したコンクリート５２が除去された除去部である。
図５（ｃ）において、５３ａ，５３ｂは除去部５２ａ，５２ｂの各々に充填された補修用モルタル等の補修部材、５４は管継手１７に接続された水栓等の出水管である。
【００３８】
コンクリート埋設配管を施工する際には、まず、図４に示すように、導水ボックス２１の突部２７ａ，２７ｃ，２７ｂ，２７ｄに支持部材４０，４１，４２，４３を装設した後、図５（ａ）に示すように、配筋されたコンクリート補強用の鉄筋４６の所定箇所に支持部材４０，４１を繋着部材４７で繋着して配置固定する。同様にして、出水ボックス１もコンクリート用の鉄筋４６の所定箇所に配置固定する。（以上、ボックス配置工程）
なお、本実施の形態においては、出水ボックス本体２及び導水ボックス本体２２の開口部５，２５と型枠５１，５１の内側面との距離が、５〜３０ｍｍ好ましくは５〜２０ｍｍになるように、出水ボックス本体２及び導水ボックス本体２２が鉄筋４６に配設固定されている。
次に、出水ボックス本体２の保護管接続孔部６に接続部材１４を用いて保護管１５の一端部を接続するとともに、導水ボックス本体２２の保護管接続孔部２６に接続部材３６を用いて保護管１５の他端部を接続する。接続部材１４，３６の接続部材本体１４ａ，３６ａには鉤状部１４ｃ，３６ｃが形成されているので、保護管１５の両端部を各々の接続部材１４，３６の接続部材本体１４ａ，３６ａ内に挿入するだけで、保護管１５の溝部１５ａに鉤状部１４ｃ，３６ｃを係止させて保護管１５を固定することができる。両端部が保護管接続孔部６，２６に接続された保護管１５は、鉄筋４６の所定箇所にワイヤ等を用いて繋着させて固定させることができる。次いで、保護管１５が接続された出水ボックス本体２及び導水ボックス本体２２の各々の開口部５，２５を閉鎖部材５０，５０で閉鎖する。（以上、保護管接続工程）
型枠５１，５１内にコンクリート５２を打設しコンクリート５２を養生硬化させた後、図５（ｂ）に示すように、型枠５１，５１を取り外す。次いで、導水ボックス本体２２及び出水ボックス本体２の各々の開口部２５，５を閉塞している蓋本体５０，５０の前面で硬化したコンクリートをハンマー等で外力を加えて叩き割り除去することにより、除去部５２ａ，５２ｂを形成する。次いで、蓋本体５０，５０を除去して、コンクリート５２の躯体表面（除去部５２ｂ，５２ａ）に出水ボックス本体２及び導水ボックス本体２２の各々の開口部５，２５を露出させる。（以上、開口部形成工程）
次に、形成された開口部２５から導水ボックス本体２２内に保護管３４を挿入し、保護管３４の一端部側を管固定部材３５を用いて管固定部２９に固定するとともに端部を接続部材３６に挿入して固定する。次いで、保護管３４の他端部から通水管１６を挿通し、保護管１５を経由させて出水ボックス本体２内まで通水管１６を配設する。出水ボックス本体２内では、図５（ｃ）に示すように、通水管１６の端部を管継手１７に接続するとともに、管継手１７を管継手固定部９に固定する。次に、導水ボックス本体２２及び出水ボックス本体２の開口部２５，５の各々に蓋部材３０，１０を取り付ける。蓋部材３０を取り付ける場合は、蓋開口部３２の開口縁部から蓋本体３１の縁部に渡って蓋本体３１に形成された切れ目部３２ａを広げて保護管３４を蓋開口部３２に挿通させることができる。（以上、通水管配設工程）
導水ボックス本体２２及び出水ボックス本体２の開口部２５，５の各々を蓋部材３０，１０で閉塞した後、補修用モルタル等の補修部材５３ａ，５３ｂを除去部５２ａ，５２ｂに充填してコンクリート躯体の表面を平坦化させる。補修部材５３ｂが硬化した後、水栓等の出水管５４を接続する。
【００３９】
図６はコンクリート壁にコンクリート埋設用配管固定具が配置された住宅壁部の断面模式図であり、図７はコンクリート床にコンクリート埋設用配管固定具が配置された住宅床面の断面模式図である。
コンクリート埋設用配管固定具の出水ボックス１は、図６（ａ）に示すように、住宅のコンクリート壁Ｃの外面側に埋設して水栓等の出水管５４を壁の外側に突出して形成したり、図６（ｂ）に示すように、住宅の内側に突出させて洗濯機Ｓ等の上部に配置して用いられる。また、導水ボックス２１は基礎Ｇと床部Ｆとの間に配置される。
また、コンクリート埋設用配管固定具の出水ボックス１は、住宅のコンクリート床Ｙの上面側に埋設してストレート形止水栓等の出水管５５を、図７（ａ）に示すようにトイレの貯水タンク５６や、図７（ｂ）に示すように洗面台５７等に接続させることができる。
【００４０】
以上のように、本発明の実施の形態１におけるコンクリート埋設用配管固定具は構成されているので、以下のような作用が得られる。
（１）出水ボックス１が保護管１５の一端部が接続される保護管接続孔部６と突部７ａ，７ｂ，７ｃ，７ｄ及び／又は挿通孔部８とを有しているので、保護管１５を接続できるとともに突部７ａ，７ｂ，７ｃ，７ｄや挿通孔部８を用いてコンクリート補強用の鉄筋４６に固定することができるため、配管作業者は、コンクリート補強用の鉄筋４６が配設された後に、鉄筋４６に保護管１５が接続された出水ボックス１を固定する作業を行うだけで、コンクリート躯体内に収納用の空洞を形成したりする作業を要さずに保護管１５及び出水ボックス１を埋設することができ施工性に著しく優れる。
（２）コンクリート補強用の鉄筋４６に固定できる突部７ａ，７ｂ，７ｃ，７ｄや挿通孔部８を有しているので、出水ボックス１をコンクリート補強用の鉄筋４６に容易に固定することができ作業性に優れるとともに、コンクリート打設時にずれたりせず安定して埋設させることができる。
（３）出水ボックス本体２の内側に通水管１６と出水管５４とを接続する管継手１７が固定される管継手固定部９を有しているので、管継手固定部９に固定される管継手１７を用いて通水管１６と出水管５４とを安定して接続することができる。
（４）出水ボックス本体２の内側の空間内に形設された管継手固定部９に管継手１７が固定されるので、出水管５４と通水管１６とを接続したりメンテナンスのために出水管５４や通水管１６を交換する作業を行うための空間を出水ボックス本体２内で確保することができ作業性やメンテナンス性に優れる。
（５）導水ボックス本体２２と保護管１５の他端部が接続される保護管接続孔部２６と突部７ａ，７ｂ，７ｃ，７ｄ及び／又は挿通孔部２８とを有する導水ボックス２１を備えているので、コンクリート内に埋設される導水ボックス２１に通水管１６を導き保護管１５を経由して出水ボックス１から取り出すことができ、容易にコンクリート内に通水管１６を埋設させることができる。
（６）導水ボックス本体２２の内側に形設された管固定部２９を有しているので、外部から導水ボックス２１内に導かれた保護管３４や通水管１６を動かないように安定して固定することができる。
（７）導水ボックス２１の側壁部２４ａ，２４ｃの外側の各々の底面部２３側に突設された突条の突部２７ａ，２７ｃと、導水ボックス２１の側壁部２４ａ，２４ｃの外側の各々の略央部に突部２７ａ，２７ｃと平行に突設された突条の突部２７ｂ，２７ｄと、を備えているので、突部２７ａ，２７ｂ，２７ｃ，２７ｄの各々に棒状の支持部材４０，４２，４１，４３を装設させ支持させることにより、支持部材４０，４１を鉄筋４６，４６に繋着させて導水ボックス２１を固定させることができるとともに、支持部材４２，４３を鉄筋４６間に配設することによりコンクリート躯体を補強することができる。
（８）出水ボックス本体２や導水ボックス本体２２の開口部５，２５に着脱自在に配設される蓋本体１１，３１を有する蓋部材１０，３０を備えているので、蓋部材１０，３０を開口部５，２５に装着して開口部５，２５を閉塞することによりモルタルやコンクリート等の補修部材５３ｂ，５３ａが出水ボックス本体２等の内側に入らないようにできるため、メンテナンスのために出水管５４や通水管１６を交換する作業を行うための空間を出水ボックス本体２等の内側に確保することができ作業性やメンテナンス性に優れる。
（９）蓋部材１０，３０が、通水管１６や出水管５４が挿通される蓋開口部１２，３２を備えているので、蓋部材１０，３０を用いて開口部５，２５を閉塞しても通水管１６や水栓等の出水管５４をコンクリート５２の躯体の外部に突出させることができる。
（１０）蓋部材１０，３０の蓋本体１１，３１の外表面が粗面化されているので、硬化したモルタル等の補修部材５３ｂ，５３ａが蓋本体１１，３１の外表面に強固に固着するため、コンクリート５２の躯体の表面からの埋設深さが小さくても、通常のモルタル等を用いて補修ができ、また硬化したモルタル等の落下やひび割れ等の発生を防止できる。
（１１）蓋部材３０の蓋開口部３２が略長円の長孔状に形成されているので、蓋開口部３２から導水ボックス２１内に導かれ保護管接続孔部２６に至る通水管１６の曲率を小さくして通水管１６が折り曲げられるのを防止することができる。
（１２）蓋部材３０が、蓋開口部３２の開口縁部から蓋本体３１の縁部に渡って蓋本体３１に形成された切れ目部３２ａを有しているので、通水管配設工程において、蓋開口部３２に保護管３４等を予め挿通させておくのを忘れた場合であっても、切れ目部３２ａを広げて保護管３４を蓋開口部３２に挿通させることができ作業性に優れる。
（１３）接続部材１４，３６の接続部材本体１４ａ，３６ａの端部に、当接部１４ｂ，３６ｂに向かって傾斜した鉤状部１４ｃ，３６ｃが立設されているので、接続部材本体１４ａ，３６ａに保護管１５，３４を挿入するだけで鉤状部１４ｃ，３６ｃが保護管１５，３４の溝部１５ａ，３４ａに食い込み固定することができ作業性に優れる。また、鉤状部１４ｃ，３６ｃが保護管１５，３４の溝部１５ａ，３４ａに食い込むため、脱落することなく確実に固定できるので、作業ミスが発生し難い。
【００４１】
また、実施の形態１におけるコンクリート埋設用配管配置具を用いたコンクリート埋設配管の施工方法によれば、以下のような作用が得られる。
（１）コンクリート打設前に、コンクリート補強用の鉄筋４６に出水ボックス１及び導水ボックス２１を配設固定し保護管１５との接続も行うことができ、コンクリート５２の養生硬化後には、出水ボックス１及び導水ボックス２１の開口部５，２５に配設された閉鎖部材５０，５０を除去することで開口部５，２５をコンクリート５２の躯体表面に広く開放して露出させ通水管１６を配設する作業を容易に行うことができ作業性に著しく優れる。
（２）出水ボックス本体２及び導水ボックス本体２２の開口部５，２５と型枠５１，５１の内側面との距離が、５〜３０ｍｍ好ましくは５〜２０ｍｍになるように出水ボックス本体２及び導水ボックス本体２２が鉄筋４６に配設固定されているので、出水ボックス１及び導水ボックス２１の開口部５，２５に蓋部材１０，３０を装着したときに蓋部材１０，３０の外表面がコンクリート５２の躯体表面よりも低くなり、補修用のモルタル等の補修部材５３ｂ，５３ａで蓋部材１０，３０を埋設できるようにするとともに、少量の補修部材５３ｂ，５３ａで補修ができる。また、閉鎖部材５０，５０の前面でコンクリート５２が硬化したときでも、開口部形成工程において閉鎖部材５０，５０の前面で硬化したコンクリート５２の厚さが薄いため、ハンマー等で外力を与えることにより容易に叩き割って除去して除去部５２ｂ，５２ａを形成することができ施工性に優れる。
【００４２】
なお、実施の形態１においては、導水ボックス２１と保護管１５との接続に、両端部に鉤状部３６ｃが形成された接続部材３６を用いたが、出水ボックス１と同様に接続部材１４を用いることもできる。この場合は、保護管３４の一端部側は管固定部材３５を用いて管固定部２９に固定しておけばよい。
また、接続部材１４，３６の接続部材本体１４ａ，３６ａに環状部材１４ｄ，１４ｅ，３６ｄ，３６ｅが螺着される場合について説明したが、接続部材本体１４ａ，３６ａに環状部材１４ｄ，３６ｄが予めフランジ状に一体に形成されたり固着されたりしていてもよい。また、接続部材本体１４ａ，３６ａと環状部材１４ｄ，１４ｅ，３６ｄ，３６ｅが螺着される場合について説明したが、螺子部を形成せずに環状部材内に接続部材本体を嵌挿させるようにしてもよい。
また、支持部材４０等が突部２７ａ等の各々を挟装する場合について説明したが、１本ずつの支持部材を突部に装設させる場合もある。
また、コンクリート埋設配管を施工する際に、ボックス配置工程において鉄筋４６に出水ボックス１及び導水ボックス２１を配置固定した後、保護管接続工程において保護管１５を出水ボックス１及び導水ボックス２１の各々に接続した場合について説明したが、作業はやや煩雑になるが、予め保護管１５を接続した出水ボックス１及び導水ボックス２１を鉄筋４６に配置固定することもできる。
【００４３】
次に、保護管と保護管接続孔部とを接続する接続部材の変形例について説明する。
図８（ａ）は実施の形態１におけるコンクリート埋設用配管配置具の出水ボックスの保護管接続孔部において保護管を接続する接続部材の変形例を示す分解斜視図であり、図８（ｂ）はその保護管接続孔部における要部断面図である。
図８（ａ）、（ｂ）において、５８は接続部材、５８ａは外径が保護管接続孔部６の内径より大きく形成されたフランジ部、５８ｂはフランジ部５８ａに延設され外径が保護管接続孔部６の内径より小さく形成され貫通孔を有する雄螺子部であり保護管接続孔部６に挿通される。５８ｃは雄螺子部５８ｂの先端に延設され内側に爪部が立設された係止爪部、５８ｄは雄螺子部５８ｂに螺合する雌螺子部が形成され係止爪部５８ｃを外周側から押圧して縮径させ貫通孔に挿通される保護管１５の溝部に係止爪部５８ｃを食い込ませて係止させる雌螺子部材である。
【００４４】
なお、以上説明した接続部材の他、市販のコネクタ類（例えば、未来工業製）を用いることもできる。
【００４５】
（実施の形態２）
図９（ａ）は実施の形態２におけるコンクリート埋設用配管配置具の出水ボックスの保護管接続孔部において保護管を接続する保護管接続部の分解斜視図であり、図９（ｂ）はその保護管接続孔部における要部断面図である。
図中、６０は実施の形態２における出水ボックス１の保護管接続部、６１は出水ボックス１の側壁部４ｃに形成された保護管接続部６０の雄接続部、６１ａは側壁部４ｃに形成された略円形状の保護管接続孔部、６２は先端が保護管接続孔部６１ａに挿通される保護管１５を係止可能な鉤状に形成され保護管接続孔部６１ａの外周に複数立設された係止爪、６３は係止爪６２の基部に形成された凹状の第１係合凹部、６４は第１係合凹部６３より係止爪６２の先端部側に形成された凹状の第２係合凹部、６５は係止爪６２の外周に外嵌される雌接続部材、６６は雌接続部材６５の内周面に形成され雄接続部６１の係止爪６２を外周側から押圧して縮径させる押圧部、６７は雌接続部材６５の先端部に形成され第１係合凹部６３に係合可能な第１係合突部、６８は雌接続部材６５の第１係合突部６７より押圧部６６側に形成され第２係合凹部６４に係合可能な第２係合突部である。
【００４６】
以上のように実施の形態２におけるコンクリート埋設用配管配置具は構成されているので、実施の形態１に記載の作用に加え、以下のような作用が得られる。
（１）保護管接続部６０が、保護管接続孔部６１ａと外周に複数立設された係止爪６２とを有する雄接続部６１を有しているので、係止爪６２を外周側から押圧して縮径させる押圧部６６を有する雌接続部材６５を雄接続部６１に嵌め込む簡単な作業を行うだけで、雌接続部材６５の押圧部６６で雄接続部６１の係止爪６２を縮径させて係止爪６２で保護管１５を係止して保護管接続部６０から保護管１５が外れないように確実に接続でき作業性に優れるとともに確実性に優れる。
【００４７】
（実施の形態３）
図１０は実施の形態３におけるコンクリート埋設用配管配置具の導水ボックスの斜視図である。なお、実施の形態１で説明したものと同様のものは、同じ符号を付して説明を省略する。
図中、７０は実施の形態３におけるコンクリート埋設用配管配置具の略矩形の箱状に形成された導水ボックス、７１，７２は導水ボックス７０の導水ボックス本体の側壁部、７３，７４は側壁部７１，７２の隅部に形成された挿通孔部、７５，７５は金属製や合成樹脂製で挿通孔部７４，７４を貫通する棒状の支持部材、７６はコンクリート補強用の鉄筋４６に支持部材７５，７５を繋着する針金や番線等の線条体等の繋着部材である。
【００４８】
以上のように実施の形態３におけるコンクリート埋設用配管配置具は構成されているので、実施の形態１に記載の作用に加え、以下のような作用が得られる。
（１）導水ボックス７０の側壁部７１，７２の隅部に挿通孔部７３，７４が形成されているので、支持部材７５を挿通孔部７３，７３や挿通孔部７４，７４に貫通し支持部材７５を鉄筋４６に繋着するだけで、導水ボックス７０を鉄筋４６に簡単に配設固定することができ作業性に優れる。
【００４９】
なお、コンクリートを打設する際には、支持部材７５を挿通しない挿通孔部７３にはシール等を貼着してコンクリートが導水ボックス７０内に侵入するのを防止するのが好ましい。
【産業上の利用可能性】
【００５０】
本発明は、住宅やマンション等のコンクリート製の壁や床、天井等の内部に通水管が挿通される保護管を埋設し外部に水栓等の出水管を配置させるコンクリート埋設用配管配置具及びそれを用いたコンクリート埋設配管の施工方法に関し、コンクリート補強用の鉄筋が配設された後に、鉄筋に保護管が接続された出水ボックス等を固定する作業を行うだけで、コンクリート躯体内に収納用の空洞を形成したりする作業を要さずに、コンクリート躯体内に保護管及び出水ボックス等を埋設することができ施工性に著しく優れるとともに、コンクリート打設時にもずれたりせず安定して埋設させることができ配管施工品質の安定性に優れたコンクリート埋設用配管配置具を提供できる。また、給水管等の通水管をコンクリート躯体内に埋設する作業を容易に行うことができ作業性に著しく優れるコンクリート埋設配管の施工方法を提供できる。
【図面の簡単な説明】
【００５１】
【図１】（ａ）実施の形態１におけるコンクリート埋設用配管配置具の出水ボックスの斜視図  （ｂ）使用状態を表す要部断面図
【図２】（ａ）実施の形態１におけるコンクリート埋設用配管配置具の導水ボックスの斜視図  （ｂ）使用状態を表す要部断面図
【図３】（ａ）出水ボックスの保護管接続孔部における保護管の接続状態を示す要部断面図  （ｂ）導水ボックスの保護管接続孔部における保護管の接続状態を示す要部断面図
【図４】コンクリート補強用の鉄筋に導水ボックスを配設固定した状態を示す要部斜視図
【図５】コンクリート埋設用配管配置具を用いたコンクリート埋設配管の施工方法を示す要部断面図
【図６】コンクリート壁にコンクリート埋設用配管固定具が配置された住宅壁部の断面模式図
【図７】コンクリート床にコンクリート埋設用配管固定具が配置された住宅床面の断面模式図
【図８】（ａ）実施の形態１におけるコンクリート埋設用配管配置具の出水ボックスの保護管接続孔部において保護管を接続する接続部材の変形例を示す分解斜視図  （ｂ）保護管接続孔部における要部断面図
【図９】（ａ）実施の形態２におけるコンクリート埋設用配管配置具の出水ボックスの保護管接続孔部における保護管の接続状態を示す分解斜視図  （ｂ）保護管接続孔部における要部断面図
【図１０】実施の形態３におけるコンクリート埋設用配管配置具の導水ボックスの斜視図
【符号の説明】
【００５２】
１  出水ボックス
２  出水ボックス本体
３  底面部
４ａ，４ｂ，４ｃ，４ｄ  側壁部
５  開口部
６  保護管接続孔部
７ａ，７ｂ，７ｃ，７ｄ  突部
８  挿通孔部
９  管継手固定部
１０  蓋部材
１１  蓋本体
１２  蓋開口部
１３  蓋側係止部
１３ａ  本体側係止部
１４  接続部材
１４ａ  接続部材本体
１４ｂ  当接部
１４ｃ  鉤状部
１４ｄ，１４ｅ  環状部材
１５  保護管
１５ａ  溝部
１６  通水管
２１  導水ボックス
２２  導水ボックス本体
２３  底面部
２４ａ，２４ｂ，２４ｃ，２４ｄ  側壁部
２５  開口部
２６  保護管接続孔部
２７ａ，２７ｂ，２７ｃ，２７ｄ  突部
２８  挿通孔部
２９  管固定部
３０  蓋部材
３１  蓋本体
３２  蓋開口部
３２ａ  切れ目部
３３  蓋側係止部
３３ａ  本体側係止部
３４  保護管
３４ａ  溝部
３５  管固定部材
３６  接続部材
３６ａ  接続部材本体
３６ｂ  当接部
３６ｃ  鉤状部
３６ｄ，３６ｅ  環状部材
４０，４１，４２，４３  支持部材
４４，４５，４７  繋着部材
４６  鉄筋
５０  閉鎖部材
５１  型枠
５２  コンクリート
５２ａ，５２ｂ  除去部
５３ａ，５３ｂ  補修部材
５４，５５  出水管
５６  貯水タンク
５７  洗面台
５８  接続部材
５８ａ  フランジ部
５８ｂ  雄螺子部
５８ｃ  係止爪部
５８ｄ  雌螺子部材
６０  保護管接続部
６１  雄接続部
６１ａ  保護管接続孔部
６２  係止爪
６３  第１係合凹部
６４  第２係合凹部
６５  雌接続部材
６６  押圧部
６７  第１係合突部
６８  第２係合突部
７０  導水ボックス
７１，７２  側壁部
７３，７４  挿通孔部
７５  支持部材
７６  繋着部材
【図１】
2005133481.tif 000003
【図２】
2005133481.tif 000004
【図３】
2005133481.tif 000005
【図４】
2005133481.tif 000006
【図５】
2005133481.tif 000007
【図６】
2005133481.tif 000008
【図７】
2005133481.tif 000009
【図８】
2005133481.tif 000010
【図９】
2005133481.tif 000011
【図１０】
2005133481.tif 000012